(57)【特許請求の範囲】
【請求項１】
絶縁同期整流型のＤＣ／ＤＣコンバータであって、
１次巻線および２次巻線を有するトランスと、
負荷と接続される出力ラインと、
前記１次巻線と接続されるスイッチングトランジスタと、
前記２次巻線と前記出力ラインの間に設けられる同期整流トランジスタと、
前記スイッチングトランジスタを駆動する１次側コントローラと、
前記同期整流トランジスタを駆動する２次側コントローラと、
前記２次巻線と前記同期整流トランジスタを接続する第１ノードと接続される第１電極を有する第１キャパシタと、
前記出力ラインの電圧によって前記第１キャパシタを充電するとともに、前記第１キャパシタの両端間の電圧を安定化する補助電源と、
を備え、
前記補助電源は、
一端が前記出力ラインに直接接続される第１抵抗と、
アノードが前記第１抵抗の他端に接続される第１ダイオードと、
一端が前記出力ラインに直接接続される第２抵抗と、
カソードが前記第２抵抗の他端に接続され、アノードが前記第１キャパシタの前記第１電極に接続されるツェナーダイオードと、
ドレインが前記第１ダイオードのカソードに接続され、ソースが前記第１キャパシタの第２電極に接続され、ゲートが前記第２抵抗の前記他端および前記ツェナーダイオードの前記カソードに接続されるトランジスタと、
を含み、
前記２次側コントローラの接地電圧が、前記第１ノードから供給され、前記２次側コントローラの電源電圧が前記第１キャパシタの前記第２電極から供給されることを特徴とするＤＣ／ＤＣコンバータ。
【請求項２】
前記補助電源の少なくとも一部と前記２次側コントローラは、同一のモジュールにパッケージ化されることを特徴とする請求項１に記載のＤＣ／ＤＣコンバータ。
【請求項３】
フィードバック用フォトカプラと、
前記フィードバック用フォトカプラの入力側と接続され、前記ＤＣ／ＤＣコンバータの出力電圧に応じた誤差電流を発生するシャントレギュレータと、
をさらに備え、
前記１次側コントローラは、前記フィードバック用フォトカプラの出力側と接続され、前記フィードバック用フォトカプラからのフィードバック信号に応じて前記スイッチングトランジスタを駆動することを特徴とする請求項１または２のいずれかに記載のＤＣ／ＤＣコンバータ。
【請求項４】
前記出力ラインと接続される第２キャパシタをさらに備えることを特徴とする請求項１から３のいずれかに記載のＤＣ／ＤＣコンバータ。
【請求項５】
商用交流電圧をフィルタリングするフィルタと、
前記フィルタの出力電圧を全波整流するダイオード整流回路と、
前記ダイオード整流回路の出力電圧を平滑化し、直流入力電圧を生成する平滑キャパシタと、
前記直流入力電圧を降圧し、負荷に供給する請求項１から４のいずれかに記載のＤＣ／ＤＣコンバータと、
を備えることを特徴とする電源装置。
【請求項６】
負荷と、
商用交流電圧をフィルタリングするフィルタと、
前記フィルタの出力電圧を全波整流するダイオード整流回路と、
前記ダイオード整流回路の出力電圧を平滑化し、直流入力電圧を生成する平滑キャパシタと、
前記直流入力電圧を降圧し、負荷に供給する請求項１から４のいずれかに記載のＤＣ／ＤＣコンバータと、
を備えることを特徴とする電子機器。
【請求項７】
商用交流電圧をフィルタリングするフィルタと、
前記フィルタの出力電圧を全波整流するダイオード整流回路と、
前記ダイオード整流回路の出力電圧を平滑化し、直流入力電圧を生成する平滑キャパシタと、
前記直流入力電圧を降圧し、負荷に供給する請求項１から４のいずれかに記載のＤＣ／ＤＣコンバータと、
を備えることを特徴とする電源アダプタ。
【発明の詳細な説明】
【技術分野】
【０００１】
本発明は、絶縁同期整流型ＤＣ／ＤＣコンバータに関する。
【背景技術】
【０００２】
テレビや冷蔵庫をはじめとするさまざまな家電製品は、外部からの商用交流電力を受けて動作する。ラップトップ型コンピュータ、携帯電話端末やタブレット端末をはじめとする電子機器も、商用交流電力によって動作可能であり、あるいは商用交流電力によって、機器に内蔵の電池を充電可能となっている。こうした家電製品や電子機器（以下、電子機器と総称する）には、商用交流電圧をＡＣ／ＤＣ（交流／直流）変換する電源装置（ＡＣ／ＤＣコンバータ）が内蔵される。あるいはＡＣ／ＤＣコンバータが、電子機器の外部の電源アダプタ（ＡＣアダプタ）に内蔵される場合もある。
【０００３】
図１は、本発明者が検討したＡＣ／ＤＣコンバータ１００ｒの基本構成を示すブロック図である。ＡＣ／ＤＣコンバータ１００ｒは主としてフィルタ１０２、整流回路１０４、平滑キャパシタ１０６およびＤＣ／ＤＣコンバータ２００ｒを備える。
【０００４】
商用交流電圧ＶＡＣは、ヒューズおよび入力キャパシタ（不図示）を介してフィルタ１０２に入力される。フィルタ１０２は、商用交流電圧ＶＡＣのノイズを除去する。整流回路１０４は、商用交流電圧ＶＡＣを全波整流するダイオードブリッジ回路である。整流回路１０４の出力電圧は、平滑キャパシタ１０６によって平滑化され、直流電圧ＶＩＮに変換される。
【０００５】
絶縁型のＤＣ／ＤＣコンバータ２００ｒは、入力端子Ｐ１に直流電圧ＶＩＮを受け、それを降圧して、目標値に安定化された出力電圧ＶＯＵＴを生成し、出力端子Ｐ２と接地端子Ｐ３の間に接続される負荷（不図示）に供給する。
【０００６】
ＤＣ／ＤＣコンバータ２００ｒは、１次側コントローラ２０２、フォトカプラ２０４、シャントレギュレータ２０６、出力回路２１０、２次側コントローラ３００ｒ、およびその他の回路部品を備える。出力回路２１０は、トランスＴ１、ダイオードＤ１、出力キャパシタＣ２、スイッチングトランジスタＭ１、同期整流トランジスタＭ２を含む。出力回路２１０のトポロジーは、一般的な同期整流型のフライバックコンバータのそれであるため、説明を省略する。
【０００７】
トランスＴ１の１次巻線Ｗ１と接続されるスイッチングトランジスタＭ１がスイッチングすることにより、入力電圧ＶＩＮが降圧され、出力電圧ＶＯＵＴが生成される。そして１次側コントローラ２０２は、スイッチングトランジスタＭ１のスイッチングのデューティ比を調節する。
【０００８】
ＤＣ／ＤＣコンバータ２００ｒの出力電圧ＶＯＵＴは、抵抗Ｒ１、Ｒ２により分圧される。シャントレギュレータ２０６のカソード（Ｋ）端子は、フォトカプラ２０４の入力側の発光素子（発光ダイオード）と接続され、アノード（Ａ）端子は接地される。シャントレギュレータ２０６の基準（ＲＥＦ）端子には、分圧された電圧（電圧検出信号）ＶＯＵＴ＿Ｓが入力される。シャントレギュレータ２０６は誤差増幅器を含み、電圧検出信号ＶＯＵＴ＿Ｓと所定の基準電圧ＶＲＥＦ（不図示）の誤差を増幅し、誤差に応じた誤差電流ＩＥＲＲを生成し、フォトカプラ２０４の入力側の発光素子（発光ダイオード）から引き込む（シンク）。
【０００９】
フォトカプラ２０４の出力側の受光素子（フォトトランジスタ）には、２次側の誤差電流ＩＥＲＲに応じたフィードバック電流ＩＦＢが流れる。このフィードバック電流ＩＦＢが、抵抗およびキャパシタにより平滑化され、１次側コントローラ２０２のフィードバック（ＦＢ）端子に入力される。１次側コントローラ２０２は、ＦＢ端子の電圧（フィードバック電圧）ＶＦＢにもとづいてスイッチングトランジスタＭ１のデューティ比を調節する。
【００１０】
２次側コントローラ３００ｒは、スイッチングトランジスタＭ１のスイッチングと同期して、同期整流トランジスタＭ２をスイッチングする。２次側コントローラ３００ｒは、同期整流コントローラ、ドライバを備える。同期整流コントローラは、スイッチングトランジスタＭ１のスイッチングと同期したパルス信号を生成する。たとえば同期整流コントローラは、スイッチングトランジスタＭ１がターンオフすると、パルス信号を、同期整流トランジスタＭ２のオンを指示する第１状態（たとえばハイレベル）とする。また同期整流コントローラは、同期整流トランジスタＭ２のオン期間に２次巻線Ｗ２に流れる２次電流ＩＳが実質的にゼロになると、パルス信号を同期整流トランジスタＭ２のオフを指示する第２状態（ローレベル）とする。ドライバはパルス信号に応じて同期整流トランジスタＭ２をスイッチングする。
【先行技術文献】
【特許文献】
【００１１】
【特許文献１】特開２０１０−０７４９５９号公報
【発明の概要】
【発明が解決しようとする課題】
【００１２】
同期整流トランジスタＭ２をターンオンするためには、同期整流トランジスタＭ２のゲートに、ソース電位ＶＳよりもある電圧、高いゲート電圧を印加する必要がある。図１において同期整流トランジスタＭ２は、２次巻線Ｗ２の高電位側つまり出力端子Ｐ２側に設けられ、同期整流トランジスタＭ２のソース電位ＶＳは、スイッチングトランジスタＭ１のスイッチングに応じて変動する。このトポロジニーにおいて同期整流トランジスタＭ２をスイッチングするためには、２次側コントローラ３００ｒの接地（ＧＮＤ）端子を、同期整流トランジスタＭ２のソースと接続し、２次側コントローラ３００ｒを、ソース電位ＶＳを基準として動作させる必要がある。
【００１３】
そして２次側コントローラ３００ｒの電源（ＶＣＣ）端子には、同期整流トランジスタＭ２のソース電位ＶＳを基準とした電源電圧ＶＣＣ１を供給する必要がある。電源電圧ＶＣＣ１を生成するために、トランスＴ１の２次側には補助巻線Ｗ４が設けられる。補助巻線Ｗ４、ダイオードＤ４およびキャパシタＣ４は、補助コンバータを形成しており、出力電圧ＶＯＵＴよりも高い直流電圧ＶＣＣ１を発生する。図１のＤＣ／ＤＣコンバータ２００ｒでは、補助巻線Ｗ４付きのトランスＴ１が必要であるが、このようなトランスＴ１は高価である。
【００１４】
本発明は係る課題に鑑みてなされたものであり、そのある態様の例示的な目的のひとつは、トランスの２次側の補助巻線を用いずに２次側コントローラに電源供給なＤＣ／ＤＣコンバータの提供にある。
【課題を解決するための手段】
【００１５】
本発明のある態様は、絶縁同期整流型のＤＣ／ＤＣコンバータに関する。ＤＣ／ＤＣコンバータは、１次巻線および２次巻線を有するトランスと、負荷と接続される出力ラインと、１次巻線と接続されるスイッチングトランジスタと、２次巻線と出力ラインの間に設けられる同期整流トランジスタと、スイッチングトランジスタを駆動する１次側コントローラと、同期整流トランジスタを駆動する２次側コントローラと、２次巻線と同期整流トランジスタを接続する第１ノードと接続される第１電極を有する第１キャパシタと、出力ラインの電圧によって第１キャパシタを充電するとともに、第１キャパシタの両端間の電圧を安定化する補助電源と、を備える。２次側コントローラの接地電圧を第１ノードから供給し、２次側コントローラの電源電圧を第１キャパシタの第２電極から供給する。
【００１６】
この態様によると、トランスの２次側の補助巻線が不要となるため、コストを下げることができる。
【００１７】
補助電源は、出力ラインと第１キャパシタの第２電極の間に設けられた第１抵抗を含んでもよい。これにより、第１抵抗を介して第１キャパシタを充電できる。
【００１８】
補助電源は、出力ラインと第１キャパシタの第２電極の間に、カソードが第１キャパシタ側となる向きにて第１抵抗と直列に設けられたダイオードをさらに含んでもよい。
スイッチングトランジスタＭ１のスイッチングに応じて第１ノードの電圧が跳ね上がり、第１キャパシタの第２電極の電圧は、出力ラインの電圧より高くなる場合がある。充電経路にダイオードを挿入することで、第１キャパシタが放電するのを防止でき、第１キャパシタの両端間の電圧を維持できる。
【００１９】
補助電源は、出力ラインと第１キャパシタの第２電極の間に、カソードが第１キャパシタ側となる向きにて設けられたダイオードを含んでもよい。
【００２０】
補助電源は、第１キャパシタの両端間電圧を、所定の電圧を超えないようにクランプするクランプ回路を含んでもよい。これにより第１キャパシタの両端間電圧を安定化できる。
【００２１】
補助電源は、出力ラインと第１キャパシタの第２電極の間に設けられ、そのソース／エミッタが第１キャパシタの第２電極と接続され、そのゲート／ベースに定電圧が入力されたトランジスタを含んでもよい。この場合、定電圧をＶＡ、トランジスタのゲートソース電圧（ベースエミッタ間電圧）をＶＢとするとき、第１キャパシタの両端間電圧を、ＶＡ−ＶＢに安定化できる。
【００２２】
補助電源は、第１キャパシタの第１電極とトランジスタのゲート／ベースの間に設けられた第１ツェナーダイオードをさらに含んでもよい。
【００２３】
補助電源は、第１キャパシタと並列に接続された第２ツェナーダイオードを含んでもよい。これにより第１キャパシタの両端間電圧を、第２ツェナーダイオードのツェナー電圧に安定化できる。
【００２４】
補助電源は、出力ラインと第１キャパシタの間に設けられ、出力ラインから第１キャパシタに向かう電流が流れ、逆電流を阻止する充電回路と、第１キャパシタの両端間電圧を安定化するクランプ回路と、を含んでもよい。
【００２５】
補助電源の少なくとも一部と２次側コントローラは、同一のモジュールにパッケージ化されてもよい。
【００２６】
本発明の別の態様もまた、絶縁同期整流型のＤＣ／ＤＣコンバータに関する。ＤＣ／ＤＣコンバータは、１次巻線および２次巻線を有するトランスと、負荷と接続される出力ラインと、１次巻線と接続されるスイッチングトランジスタと、２次巻線と出力ラインの間に設けられる同期整流トランジスタと、スイッチングトランジスタを駆動する１次側コントローラと、同期整流トランジスタを駆動する２次側コントローラと、２次巻線と同期整流トランジスタを接続する第１ノードと接続される第１電極を有する第１キャパシタと、そのソース／エミッタが第１キャパシタの第２電極と接続されるトランジスタと、出力ラインとトランジスタのドレイン／コレクタの間に直列に設けられた第１抵抗およびダイオードと、カソードがトランジスタのゲート／ベースと接続され、アノードが第１キャパシタの第１電極と接続される第１ツェナーダイオードと、出力ラインとトランジスタのゲート／ベースの間に設けられる第２抵抗と、を備える。２次側コントローラの接地電圧を第１ノードから供給し、２次側コントローラの電源電圧を第１キャパシタの第２電極から供給する。
【００２７】
本発明のさらに別の態様もまた、ＤＣ／ＤＣコンバータである。このＤＣ／ＤＣコンバータは、１次巻線および２次巻線を有するトランスと、負荷と接続される出力ラインと、１次巻線と接続されるスイッチングトランジスタと、２次巻線と出力ラインの間に設けられる同期整流トランジスタと、スイッチングトランジスタを駆動する１次側コントローラと、同期整流トランジスタを駆動する２次側コントローラと、２次巻線と同期整流トランジスタを接続する第１ノードと接続される第１電極を有する第１キャパシタと、そのソース／エミッタが第１キャパシタの第２電極と接続されるトランジスタと、出力ラインとトランジスタのドレイン／コレクタの間に直列に設けられた第１抵抗およびダイオードと、カソードが第１キャパシタの第２電極と接続され、アノードが第１キャパシタの第１電極と接続される第２ツェナーダイオードと、を備える。２次側コントローラの接地電圧を第１ノードから供給し、２次側コントローラの電源電圧を第１キャパシタの第２電極から供給する。
【００２８】
ある態様のＤＣ／ＤＣコンバータは、フィードバック用フォトカプラと、フィードバック用フォトカプラの入力側と接続され、ＤＣ／ＤＣコンバータの出力電圧に応じた誤差電流を発生するシャントレギュレータと、をさらに備えてもよい。１次側コントローラは、フィードバック用フォトカプラの出力側と接続され、フィードバック用フォトカプラからのフィードバック信号に応じてスイッチングトランジスタを駆動してもよい。
【００２９】
ＤＣ／ＤＣコンバータは、出力ラインと接続される第２キャパシタをさらに備えてもよい。
【００３０】
本発明の別の態様は、電源装置（ＡＣ／ＤＣコンバータ）に関する。電源装置は、商用交流電圧をフィルタリングするフィルタと、フィルタの出力電圧を全波整流するダイオード整流回路と、ダイオード整流回路の出力電圧を平滑化し、直流入力電圧を生成する平滑キャパシタと、直流入力電圧を降圧し、負荷に供給する上述のＤＣ／ＤＣコンバータと、を備える。
【００３１】
本発明の別の態様は、電子機器に関する。電子機器は、負荷と、商用交流電圧をフィルタリングするフィルタと、フィルタの出力電圧を全波整流するダイオード整流回路と、ダイオード整流回路の出力電圧を平滑化し、直流入力電圧を生成する平滑キャパシタと、直流入力電圧を降圧し、負荷に供給する上述のＤＣ／ＤＣコンバータと、を備える。
【００３２】
本発明の別の態様は、ＡＣアダプタに関する。ＡＣアダプタは、商用交流電圧をフィルタリングするフィルタと、フィルタの出力電圧を全波整流するダイオード整流回路と、ダイオード整流回路の出力電圧を平滑化し、直流入力電圧を生成する平滑キャパシタと、直流入力電圧を降圧し、直流出力電圧を生成する上述のＤＣ／ＤＣコンバータと、を備える。
【００３３】
なお、以上の構成要素の任意の組み合わせや本発明の構成要素や表現を、方法、装置、システムなどの間で相互に置換したものもまた、本発明の態様として有効である。
【発明の効果】
【００３４】
本発明のある態様によれば、絶縁同期整流型のＤＣ／ＤＣコンバータにおいて、トランスの２次側の補助巻線が不要となる。
【図面の簡単な説明】
【００３５】
【図１】本発明者が検討したＡＣ／ＤＣコンバータの基本構成を示すブロック図である。
【図２】実施の形態に係る絶縁同期整流型のＤＣ／ＤＣコンバータを備えるＡＣ／ＤＣコンバータの回路図である。
【図３】補助電源の構成例を示す回路図である。
【図４】補助電源の別の回路図である。
【図５】補助電源の別の回路図である。
【図６】ＡＣ／ＤＣコンバータを備えるＡＣアダプタを示す図である。
【図７】図７（ａ）、（ｂ）は、ＡＣ／ＤＣコンバータを備える電子機器を示す図である。
【発明を実施するための形態】
【００３６】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３７】
本明細書において、「部材Ａが、部材Ｂと接続された状態」とは、部材Ａと部材Ｂが物理的に直接的に接続される場合や、部材Ａと部材Ｂが、電気的な接続状態に影響を及ぼさない他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００３８】
図２は、実施の形態に係る絶縁同期整流型のＤＣ／ＤＣコンバータ２００を備えるＡＣ／ＤＣコンバータ１００の回路図である。ＡＣ／ＤＣコンバータ１００の基本構成は図１のそれと同様であり、またＤＣ／ＤＣコンバータ２００の基本構成も図１のそれと同様である。
【００３９】
２次側コントローラ３００の構成、動作は特に限定されず、公知の、あるいは将来利用可能な技術を用いればよい。たとえば２次側コントローラ３００は、ＤＣ／ＤＣコンバータ２００の１次側のスイッチングトランジスタＭ１のターンオフを検出すると同期整流トランジスタＭ２をターンオンし、トランスＴ１の２次巻線Ｗ２の電流ＩＳが実質的にゼロになったことを検出すると、同期整流トランジスタＭ２をターンオフする。
【００４０】
スイッチングトランジスタＭ１のオン期間において、２次巻線Ｗ２の両端間電圧は、−ＶＩＮ×ＮＳ／ＮＰであるから、同期整流トランジスタＭ２のドレイン電圧ＶＤ＿Ｓ（つまりドレインソース間電圧ＶＤＳ）は、ＶＤ＿Ｓ＝ＶＯＵＴ＋ＶＩＮ×ＮＳ／ＮＰとなる。ＮＰ，ＮＳは、１次巻線Ｗ１、２次巻線Ｗ２の巻数である。
【００４１】
スイッチングトランジスタＭ１がオフすると、同期整流トランジスタＭ２のソースからドレインに向かって２次電流ＩＳが流れるため、ドレインソース間電圧は負電圧となる。連続モードでは、スイッチングトランジスタＭ１がターンオンすることにより、２次電流ＩＳがゼロとなり、ドレイン電圧が再びＶＤ＝ＶＯＵＴ＋ＶＩＮ×ＮＳ／ＮＰに跳ね上がる。不連続モードでは、同期整流トランジスタＭ２のオン状態においてトランスＴ１に蓄えられたエネルギーの減少にともない２次電流ＩＳが減少していくと、ドレインソース間電圧ＶＤＳの絶対値は小さくなり、やがて２次電流ＩＳが実質的にゼロになると、ドレインソース間電圧ＶＤＳも実質的にゼロとなり、ドレイン電圧ＶＤ＿Ｓはリンギングする。
【００４２】
これらの性質を利用して２次側コントローラ３００は、同期整流トランジスタＭ２のドレイン電圧（ドレインソース間電圧）にもとづいて、同期整流トランジスタＭ２をスイッチングすることができる。
【００４３】
本実施の形態では、２次側コントローラ３００への電源供給が、図１と異なっており、２次側コントローラ３００への電源電圧ＶＣＣ１を供給するために、第１キャパシタＣ１および補助電源４００が設けられる。第１キャパシタＣ１の一端（第１電極）は、２次巻線Ｗ２と同期整流トランジスタＭ２を接続する第１ノードＮ１（つまり同期整流トランジスタＭ２のソース）と接続される。
【００４４】
補助電源４００は、第１キャパシタＣ１および出力ライン２１２と接続されており、出力ライン２１２の電圧ＶＯＵＴによって第１キャパシタＣ１を充電するとともに、第１キャパシタＣ１の両端間の電圧を安定化する。
【００４５】
２次側コントローラ３００のＧＮＤ端子は、第１ノードＮ１と接続され、２次側コントローラ３００のＶＣＣ端子は、第１キャパシタＣ１の他端（第２電極）と接続される。これにより２次側コントローラ３００の接地電圧を、第１ノードＮ１から供給し、２次側コントローラ３００の電源電圧ＶＣＣ１を第１キャパシタＣ１の第２電極から供給する。
【００４６】
本発明は、図２のブロック図や回路図として把握され、あるいは上述の説明から導かれるさまざまな装置、回路に及ぶものであり、特定の構成に限定されるものではない。以下、本発明の範囲を狭めるためではなく、発明の本質や回路動作の理解を助け、またそれらを明確化するために、より具体的な構成例を説明する。
【００４７】
図３は、補助電源４００の構成例を示す回路図である。補助電源４００は、充電回路４０２およびクランプ回路４０４を備える。充電回路４０２は、出力ライン２１２と第１キャパシタＣ１の第２電極の間に設けられ、出力ライン２１２から第１キャパシタＣ１に向かう電流が流れ、逆電流を阻止する。クランプ回路４０４は、第１キャパシタＣ１の両端間電圧を安定化する。
【００４８】
図４は、補助電源４００ａの別の回路図である。補助電源４００は、第１抵抗Ｒ１、ダイオードＤ１、トランジスタＭ１１、第２抵抗Ｒ２、第１ツェナーダイオードＺＤ１を含む。トランジスタＭ１１は、ＮチャンネルＭＯＳＦＥＴ（Metal Oxide Semiconductor Field Effect Transistor）であり、そのソースが第１キャパシタＣ１の第２電極と接続される。第１抵抗Ｒ１およびダイオードＤ１は、出力ライン２１２とトランジスタＭ１のドレインの間に直列に設けられる。第１ツェナーダイオードＺＤ１のカソードはトランジスタＭ１１のゲートと接続され、そのアノードは第１キャパシタＣ１の第１電極と接続される。第２抵抗Ｒ２は、出力ライン２１２とトランジスタＭ１１のゲートの間に設けられる。
【００４９】
第１キャパシタＣ１は、第１抵抗Ｒ１、ダイオードＤ１、トランジスタＭ１１を含む経路によって充電される。そして第１キャパシタＣ１の両端間電圧は、第１ツェナーダイオードＺＤ１のツェナー電圧をＶＺと書くとき、ＶＺ−ＶＧＳを超えないようにクランプされる。ＶＧＳはトランジスタＭ１１のゲートソース間電圧である。ダイオードＤ１は、トランジスタＭ１１のボディダイオードを介して第１キャパシタＣ１から出力ライン２１２に流れる電流を阻止する。
【００５０】
第１抵抗Ｒ１、ダイオードＤ１、トランジスタＭ１１は、図３の充電回路４０２と対応づけることができる。また第２抵抗Ｒ２、第１ツェナーダイオードＺＤ１、トランジスタＭ１１は、図３のクランプ回路４０４と対応づけることができる。
【００５１】
図４において第１抵抗Ｒ１を省略してもよい。また第１ツェナーダイオードＺＤ１に代えて、別の定電圧素子を設けてもよい。たとえば定電圧素子としては、複数のダイオードをアノードがトランジスタＭ１１のゲート側となる向きで縦積みした構成を用いてもよい。
【００５２】
トランジスタＭ１１は、ＮＰＮ型バイポーラトランジスタであってもよい。この場合、ＭＯＳＦＥＴのようなボディダイオードが存在しないため、ダイオードＤ１を省略してもよい。
【００５３】
図５は、補助電源４００ｂの別の回路図である。補助電源４００ｂは、第１抵抗Ｒ１、ダイオードＤ１、第２ツェナーダイオードＺＤ２を備える。第１抵抗Ｒ１およびダイオードＤ１は、第１キャパシタＣ１の第２電極と出力ライン２１２の間に直列に設けられる。第２ツェナーダイオードＺＤ２は、第１キャパシタＣ１と並列に接続される。
第１キャパシタＣ１は、第１抵抗Ｒ１、ダイオードＤ１を含む経路によって充電される。そして第１キャパシタＣ１の両端間電圧は、第２ツェナーダイオードＺＤ２のツェナー電圧ＶＺを超えないようにクランプされる。第１抵抗Ｒ１、ダイオードＤ１は、図３の充電回路４０２と対応づけることができる。また第２ツェナーダイオードＺＤ２は、図３のクランプ回路４０４と対応づけることができる。
【００５４】
図２〜図５のＤＣ／ＤＣコンバータ２００によれば、トランスＴ１の２次側の補助巻線が不要となるため、コストを下げることができる。
【００５５】
高耐圧プロセスを用いることで、第１抵抗Ｒ１、ダイオードＤ１、第２ツェナーダイオードＺＤ２などの回路素子を、半導体基板上に集積化することが可能となる。したがって補助電源４００の少なくとも一部と２次側コントローラ３００は、同一のモジュールにパッケージ化してもよい。これにより補助電源４００のすべての回路素子をディスクリート部品で構成した場合に比べて、部品点数を減らすことができ、一層コストを下げることができる。
【００５６】
（用途）
続いて、実施の形態で説明したＤＣ／ＤＣコンバータ２００の用途を説明する。
図６は、ＡＣ／ＤＣコンバータ１００を備えるＡＣアダプタ８００を示す図である。ＡＣアダプタ８００は、プラグ８０２、筐体８０４、コネクタ８０６を備える。プラグ８０２は、図示しないコンセントから商用交流電圧ＶＡＣを受ける。ＡＣ／ＤＣコンバータ１００は、筐体８０４内に実装される。ＡＣ／ＤＣコンバータ１００により生成された直流出力電圧ＶＯＵＴは、コネクタ８０６から電子機器８１０に供給される。電子機器８１０は、ノートＰＣ、デジタルカメラ、デジタルビデオカメラ、携帯電話、携帯オーディオプレイヤなどが例示される。
【００５７】
図７（ａ）、（ｂ）は、ＡＣ／ＤＣコンバータ１００を備える電子機器９００を示す図である。図７（ａ）、（ｂ）の電子機器９００はディスプレイ装置であるが、電子機器９００の種類は特に限定されず、オーディオ機器、冷蔵庫、洗濯機、掃除機など、電源装置を内蔵する機器であればよい。
プラグ９０２は、図示しないコンセントから商用交流電圧ＶＡＣを受ける。ＡＣ／ＤＣコンバータ１００は、筐体８０４内に実装される。ＡＣ／ＤＣコンバータ１００により生成された直流出力電圧ＶＯＵＴは、同じ筐体９０４内に搭載される、マイコン、ＤＳＰ（Digital Signal Processor）、電源回路、照明機器、アナログ回路、デジタル回路などの負荷に供給される。
【００５８】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００５９】
（第１変形例）
実施の形態では、フライバックコンバータを説明したが、本発明はフォワードコンバータにも適用可能である。この場合にはトランスＴ１の２次側に、複数の同期整流用のトランジスタが配置されることとなる。２次側コントローラは、複数の同期整流トランジスタをスイッチングするよう構成されてもよい。またコンバータは疑似共振型であってもよい。
【００６０】
（第２変形例）
スイッチングトランジスタや同期整流トランジスタの少なくとも一方は、バイポーラトランジスタやＩＧＢＴであってもよい。
【００６１】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６２】
Ｐ１…入力端子、Ｐ２…出力端子、Ｐ３…接地端子、Ｍ１…スイッチングトランジスタ、Ｍ２…同期整流トランジスタ、Ｃ２…出力キャパシタ、Ｔ１…トランス、Ｗ１…１次巻線、Ｗ２…２次巻線、１００…ＡＣ／ＤＣコンバータ、１０２…フィルタ、１０４…整流回路、１０６…平滑キャパシタ、２００…ＤＣ／ＤＣコンバータ、２０２…１次側コントローラ、２０４…フォトカプラ、２０６…シャントレギュレータ、２１０…出力回路、２１２…出力ライン、３００…２次側コントローラ、Ｃ１…第１キャパシタ、４００…補助電源、４０２…充電回路、４０４…クランプ回路、Ｒ１…第１抵抗、Ｒ２…第２抵抗、Ｄ１…ダイオード、Ｍ１１…トランジスタ、ＺＤ１…第１ツェナーダイオード、ＺＤ２…第２ツェナーダイオード、８００…ＡＣアダプタ、８０２…プラグ、８０４…筐体、８０６…コネクタ、８１０，９００…電子機器、９０２…プラグ、９０４…筐体。
【図１】
0006563729.tif 000002
【図２】
0006563729.tif 000003
【図３】
0006563729.tif 000004
【図４】
0006563729.tif 000005
【図５】
0006563729.tif 000006
【図６】
0006563729.tif 000007
【図７】
0006563729.tif 000008